(57)【要約】【課題】  鍵の演奏側先端にかかる静荷重の調整範囲をより広げたピアノの打弦装置を提供する。【解決手段】  鍵２１の上部であってアクション部２５のそばに鍵２１の動きに合わせて回転する第１のウェイトレバー３１を設け、その上部に第１のウェイトレバー３１の動きに合わせて回転する第２のウェイトレバー４１設ける。この結果、第２のウェイトレバー４１をアクション部２５から位置的に離すことができるため、第２のウェイトレバー４１の形状自由度や設置自由度が高くなる。したがって、鍵２１の演奏側先端にかかる静荷重の調整範囲も広くなる。【選択図】図１
2005049697.tif 000002
【特許請求の範囲】
【請求項１】
ピアノの鍵の演奏側とは反対側上部において鍵の長さ方向に沿って配置されると共に、一端がピアノ本体に上下方向へ揺動自在に固定され、上下方向へ変位可能な開放端側が自重で鍵の上面に接触して鍵に荷重をかけるように構成された、長尺状の第１のウェイトレバーと、
一端がピアノ本体に上下方向へ揺動自在に固定され、上下方向へ変位可能な開放端側が自重で前記第１のウェイトレバーの上面に接触して前記第１のウェイトレバーに荷重をかけるように構成され、前記第１のウェイトレバーの揺動運動に連動して揺動する長尺状の第２のウェイトレバーと、
を鍵毎に備えたことを特徴とするピアノの打弦装置。
【請求項２】
更に、前記第２のウェイトレバーの上部で複数の前記第２のウェイトレバーを跨ぐようにピアノ本体に固定され、前記第２のウェイトレバーの上方向への揺動を規制する、長尺状のストッパーレールを備えたことを特徴とする請求項１に記載のピアノの打弦装置。
【請求項３】
前記第２のウェイトレバーは、鍵の長さ方向に移動可能なように移動手段によってピアノ本体に固定されていることを特徴とする請求項１又は請求項２に記載のピアノの打弦装置。
【請求項４】
更に、ピアノの外部に操作レバーを備え、
その操作レバーは、操作されるとその動作が前記移動手段に伝達されて前記第２のウェイトレバーを移動させるよう構成されていることを特徴とする請求項３に記載のピアノの打弦装置。
【発明の詳細な説明】
【技術分野】
【０００１】
本発明は、鍵の演奏側先端にかかる静荷重を調整することができるピアノの打弦装置に関する。
【背景技術】
【０００２】
本願出願人は、鍵の演奏側先端にかかる静荷重を容易に調整できるピアノの打弦装置に関する発明を先に出願した（特願２００２−３３０８１６号（以下、先行出願と称す））。このピアノの打弦装置は、ピアノの鍵の演奏側とは反対側上部において鍵の長さ方向に沿って配置されると共に、一端がピアノ本体に上下方向へ揺動自在に固定され、上下方向へ変位可能な開放端側が自重で鍵の上面に接触して鍵に荷重をかけるように構成された、長尺状のウェイトレバーを鍵毎に備えたピアノの打弦装置である。
【０００３】
このピアノの打弦装置は、ウェイトレバーが鍵の上部で鍵に荷重をかけるように構成されているため、従来のような鍵に埋設された鉛を交換する代わりにウェイトレバーを交換することにより、あるいはウェイトレバーに付けられた錘を交換することにより鍵の静荷重を調整することができる。また、ウェイトレバーを鍵の長さ方向に沿って移動させれば、鍵との接触点の位置と、回転軸との間の距離が変更できるため、ウェイトレバーを交換することなく容易に静荷重を調整できる。
【発明の開示】
【発明が解決しようとする課題】
【０００４】
ところで、ウェイトレバーは鍵の演奏側とは反対側に設置する必要があるが、この場所にはアクションが設置されているためウェイトレバーの設置スペースが非常に限られている。そのため、ウェイトレバーの設置位置、ウェイトレバーの大きさ、ウェイトレバーの移動可能範囲に制限があった。したがって、鍵の演奏側先端にかかる静荷重の調整範囲の制限が大きかった。
【０００５】
本発明は、こうした問題に鑑みなされたものであり、鍵の演奏側先端にかかる静荷重の調整範囲をより広げたピアノの打弦装置を提供することを目的とする。
【課題を解決するための手段】
【０００６】
上記課題を解決するためになされた請求項１に記載のピアノの打弦装置は、第１のウェイトレバーと第２のウェイトレバーを備える。第１のウェイトレバーは、ピアノの鍵の演奏側とは反対側上部において鍵の長さ方向に沿って配置されると共に、一端がピアノ本体に上下方向に揺動自在に固定され、上下方向に変位可能な開放端側が自重で鍵の上面に接触して鍵に荷重をかけるように構成されている。また、第２のウェイトレバーは、一端がピアノ本体に上下方向に揺動自在に固定され、上下方向に変位可能な開放端側が自重で第１のウェイトレバーの上面に接触して第１のウェイトレバーに荷重をかけるように構成され、第１のウェイトレバーの揺動運動に連動して揺動する長尺状のウェイトレバーである。なお、ここで言う揺動というのは、固定された箇所を軸にして両回転方向に部分回転することを意味する。
【０００７】
このような構成により、演奏者が鍵を操作することによって鍵の演奏側とは反対側が上昇すると、まず、第１のウェイトレバーが鍵から力を受けて上方向の回転運動を開始する。そして更に、第２のウェイトレバーが第１のウェイトレバーから力を受けて上方向の回転運動を開始する。このような構成になっているため、第１のウェイトレバーに比べて第２のウェイトレバーは、鍵（より詳しくはアクション）から離れた位置に設置することができる。このことは、第２のウェイトレバーの形状自由度や設置自由度が高いことを意味する。しかも、第１のウェイトレバーを静荷重の増加を目的とすることから開放させることができ、第１のウェイトレバーの形状や設置位置について、鍵の動きを効率よく第２のウェイトレバーに伝達させることを目的として設計することができる。したがって、本発明のピアノの打弦装置は、本願出願人が先に出願した先行出願に記載のピアノの打弦装置と同様に鍵の演奏側先端にかかる静荷重の調整の容易さを維持しながら、その静荷重の調整範囲は非常に広いという特徴を持った打弦装置であると言える。
【０００８】
ところで、演奏者が鍵を強く押した際に第２のウェイトレバーが大きく跳ね上がって再び第１のウェイトレバーに接触する状態に戻るまでに時間を要し、演奏者に違和感を持たせる恐れがある。このため、請求項２に記載のように、更に、第２のウェイトレバーの上部で複数の第２のウェイトレバーを跨ぐようにピアノ本体に固定され、第２のウェイトレバーの上方向への揺動を規制する、長尺状のストッパーレールを備えるようにするとよい。
【０００９】
このようになっていれば、第２のウェイトレバーが過剰に跳ね上がることがないように、第２のウェイトレバーの回転量を制限することができる。つまり、第２のウェイトレバーが再び第１のウェイトレバーに接触する状態に戻るまでの時間を、ストッパーレールの設置位置によって適切に設定することができ、演奏者に良好なタッチ感を与えることができる。
【００１０】
ところで、鍵の演奏側先端にかかる静荷重を調整する方法は、第１のウェイトレバーや第２のウェイトレバーの重量を変更すること（例えば錘部を交換したりウェイトレバー自体を交換したりすること）によって静荷重を調整することができるが、この方法だとウェイトレバーを取り外したり分解する等の手間がかかる。そこで、請求項３に記載のように、第２のウェイトレバーを鍵の長さ方向に移動可能なように移動手段によってピアノ本体に固定するとよい。具体的には例えば第２のウェイトレバーを可動レールに固定し、その可動レールを介してピアノ本体に固定するとよい。
【００１１】
このようになっていれば、第２のウェイトレバーを移動させるだけで第２のウェイトレバーの回転軸と、第１のウェイトレバーと接触する位置との間の距離を変更できるため、第１のウェイトレバーや第２のウェイトレバーの重量を変更して鍵の演奏側先端にかかる静荷重を調整するよりも、容易に静荷重を調整することができる。
【００１２】
さらに、請求項４に記載のように、更に、ピアノの外部に操作レバーを備え、その操作レバーは、操作されるとその動作が移動手段に伝達されて第２のウェイトレバーを移動させるよう構成されているとよい。
【００１３】
このようになっていれば、操作レバーを操作するだけで静荷重の調整ができるため演奏者が演奏の合間などにも静荷重の調整が可能である。
【発明を実施するための最良の形態】
【００１４】
以下、本発明が適用された実施例について図面を用いて説明する。尚、本発明の実施の形態は、下記の実施例に何ら限定されることはなく、本発明の技術的範囲に属する限り種々の形態を採りうる。
【００１５】
図１はグランドピアノの打弦装置１０を表す側面図である。図１に示すように、打弦装置１０は、主に、鍵２１、アクション部２５、第１のウェイトレバー３１、第２のウェイトレバー４１及びストッパーレール４５を備える。
【００１６】
このうち、鍵２１は、ピアノ１台あたり８８鍵設置され、筬中２３を支点に揺動できるように設置される。この鍵２１は押鍵されると鍵２１の演奏側の反対側（アクション側）が上昇して、その押鍵動作をアクション部２５に伝達する。押鍵動作がアクション部２５に伝達されると、アクション部２５に設けられたハンマー２６が弦（図示せず）を打弦する打弦運動を行うようになっている。
【００１７】
第１のウェイトレバー３１は、第１の固定レール２７（両端をブラケットによってピアノ本体に固定され、複数の鍵２１を跨ぐようにしてアクション部２５のそばの演奏側に設けられたレール）にフレンジ２９を介して揺動可能に留められている。なお、この第１のウェイトレバー３１は、揺動側が演奏側になるように留められており、鍵２１にねじ込まれたスクリュー３３によって支えられて重力に基づく回転運動が止められている。また、このスクリュー３３は、鍵２１に対するねじ込み量を調整することにより、スクリュー３３の高さ（つまり鍵２１からの突出長）を調整することができる。
【００１８】
また、第１のウェイトレバー３１の上部にはスクリュー３５が設けられ、第２のウェイトレバー４１を支持するようになっている。このスクリュー３５も、第１のウェイトレバー３１に対するねじ込み量を調整することにより、スクリュー３５の高さ（つまり第１のウェイトレバー３１からの突出長）を調整することができる。また、第１のウェイトレバー３１の下面にはスクリュー３３と接触した際に発生する音を低減するためのフェルト３２が貼り付けられている。
【００１９】
第２のウェイトレバー４１は、第２の固定レール３７（両端をブラケットによってピアノ本体に固定され、複数の鍵２１を跨ぐようにして第１のウェイトレバー３１のそばに設けられたレール）にフレンジ３９を介して揺動側がアクション側になるように揺動可能に留められている。なお、第２の固定レール３７を支持するブラケットは、ピアノ本体に対して可動レール（図示せず）を介して固定されている。この可動レールは特許請求の範囲に記載の移動手段に相当する。この可動レールの先には、ピアノの鍵盤脇に設けられた操作レバー（図示せず）が接続されており、この操作レバーを操作することにより第２のウェイトレバー４１は鍵２１に対して平行に移動可能となっている（矢印Ｃ参照）。この操作レバーは、人が操作可能な形状を有していればどのようなものであってもよく、例えばホイール形状をしていてもよい。
【００２０】
また、第２のウェイトレバー４１は、第１のウェイトレバー３１にねじ込まれたスクリュー３５によって支えられて重力に基づく回転運動が止められている。また、第２のウェイトレバー４１の揺動側先端には鉄や鉛等の材質からできた錘４３が設けられ、この錘４３は第２のウェイトレバー４１の重量（より正確には慣性モーメント）を増加させる役目を担っている。また、第２のウェイトレバー４１の下面には、スクリュー３５と接触した際に発生する音を低減するためのフェルト４２が貼り付けられている。
【００２１】
ストッパーレール４５は、第２のウェイトレバー４１の上部に位置し、複数の第２のウェイトレバー４１を跨ぐようにして設置され、両端をブラケットによってピアノ本体に固定されている。ストッパーレール４５の下面には第２のウェイトレバー４１と接触した際に発生する音を低減するためのフェルト４７が貼り付けられている。
【００２２】
このように構成された打弦装置１０は、次のように動作する。演奏者によって鍵２１が押鍵されると鍵２１のアクション側が上昇し、その動きがアクション部２５に伝達される。そして、アクション部２５はハンマー２６が打弦するように動作させる。
【００２３】
また、鍵２１のアクション側が上昇することによって、スクリュー３３も上昇し、その上昇に伴って第１のウェイトレバー３１がフレンジ２９との接続部３１ａを軸にして矢印Ａに示す方向に回転する。第１のウェイトレバー３１が矢印Ａに示す方向に回転すると、スクリュー３５を介して第２のウェイトレバー４１を押し上げ、第２のウェイトレバー４１はフレンジ３９との接続部４１ａを軸にして矢印Ｂに示す方向に回転する。その際、すでに鍵２１のアクション側が下降を開始していても第２のウェイトレバー４１に与えられた回転力が十分にあれば、鍵２１のアクション側の下降に連動せずに独立して回転を続ける。第１のウェイトレバー３１が下降を開始していても同様である。そして、第２のウェイトレバー４１は、ストッパーレール４５に接触するまで回転し続け、ストッパーレール４５に接触すると回転を止める。回転を止めた後は、第２のウェイトレバー４１は重力に引かれて矢印Ｂとは逆の方向に回転し、スクリュー３５に接触するまで回転する。
【００２４】
また、ピアノの鍵盤脇に設けられた操作レバーを操作することにより第２のウェイトレバー４１は鍵２１に対して平行に移動するため、第２のウェイトレバー４１の、スクリュー３５との接触位置が変更可能になっている。このため、第２のウェイトレバー４１を移動可能な範囲の中央位置からアクション側に移動させれば第２のウェイトレバー４１の回転軸（接続部４１ａ）と、スクリュー３５との接触位置との間の距離は短くなり、鍵２１の押鍵量に対する第２のウェイトレバー４１の回転量は大きくなる。つまり、鍵２１の静荷重が増加する。逆に、第２のウェイトレバーを移動可能な範囲の中央位置から演奏側に移動させれば第２のウェイトレバー４１の回転軸（接続部４１ａ）と、スクリュー３５との接触位置との間の距離は長くなり、鍵２１の押鍵量に対する第２のウェイトレバー４１の回転量は小さくなる。つまり、鍵２１の静荷重が減少する。
【００２５】
このように構成された打弦装置１０においては、第１のウェイトレバー３１に比べて第２のウェイトレバー４１は鍵（より詳しくはアクション）から離れた位置に設置することができるため、第２のウェイトレバーの形状自由度や設置自由度が高い。したがって、打弦装置１０は、本願出願人による先行出願に記載のピアノの打弦装置のようにウェイトレバーが１つしかない場合（本実施例で言うところの第１のウェイトレバーのみの場合）と比べ、鍵２１の演奏側先端にかかる静荷重の調整範囲が非常に広い。
【００２６】
また、ピアノの鍵盤脇に設置された操作レバーを操作するだけで、第２のウェイトレバー４１が移動し、容易に鍵２１の演奏側先端にかかる静荷重を調整することができる。
以下、他の実施例について述べる。
【００２７】
（１）上記実施例では、ピアノの鍵盤脇に設置された操作レバーを操作した際にストッパーレール４５は移動しなかったが、ストッパーレール４５も第２のウェイトレバー４１や第２の固定レール３７と連動して移動するようになっていてもよい。このようになっていれば、ストッパーレール４５と第２のウェイトレバー４１とが接触する位置が固定化することができるため、ストッパーレール４５を小型化することができる。
【００２８】
（２）第１のウェイトレバー３１及び第２のウェイトレバー４１の設置方向（揺動側の方向）は、設置スペースが許すのであればどのような方向であってもよい。例えば第２のウェイトレバー４１を上記実施例と逆にしてもよい。つまり、第２のウェイトレバー４１を演奏側に配置し第２の固定レール３７をアクション側に配置し、第２のウェイトレバー４１のアクション側が揺動するようにしてもよい。このようにすると第１のウェイトレバー３１と第２のウェイトレバー４１の回転方向が一致するようになり、第１のウェイトレバー３１と第２のウェイトレバー４１との接点（正確にはスクリュー３５と第２のウェイトレバー４１との接点）の、回転に伴うずれが少なくなるため演奏者のタッチ感も向上する。
【００２９】
（３）上記実施例は打弦装置１０をグランドピアノに適用した場合について説明したが、打弦装置１０と同様のものをアップライトピアノに適用してもよい。
【図面の簡単な説明】
【００３０】
【図１】実施例のグランドピアノの打弦装置の説明図である。
【符号の説明】
【００３１】
１０…打弦装置、２１…鍵、２３…筬中、２５…アクション部、２６…ハンマー、２７…第１の固定レール、２９…フレンジ、３１…第１のウェイトレバー、３１ａ…接続部、３２…フェルト、３３…スクリュー、３５…スクリュー、３７…第２の固定レール、３９…フレンジ、４１…第２のウェイトレバー、４１ａ…接続部、４２…フェルト、４３…錘、４５…ストッパーレール、４７…フェルト。
【図１】
2005049697.tif 000003